(57)【要約】  【課題】最後退位置における肘当てを好適に使用し得る椅子を提供する。  【解決手段】肘掛け６が、椅子本体に支持された肘支柱Ｊと、肘支柱Ｊに対して移動可能に設けられた肘当て６４と、肘当て６４を最前進位置（ｚ）と最後退位置（ｒ）との間で所定の軌道上をスライドさせる肘当て案内機構とを備えている。肘当て６４が、最前進位置（ｚ）及び最後退位置（ｒ）において前後方向を向く前向き姿勢（ｍｓ）を採るものであり、平面視における最後退位置（ｒ）の肘当て６４が、最前進位置（ｚ）の肘当て６４よりも椅子本体の左右方向中央部から離れて位置するように設定されている。【選択図】図４０
2020049120.tif 000002
【特許請求の範囲】
【請求項１】
椅子本体とこの椅子本体に取り付けられた肘掛けとを備えた椅子であって、
前記椅子本体が、支持基部に座と背凭れとを傾動可能に支持させてなるものであり、標準姿勢と後傾姿勢とを採り得るように構成されており、
前記肘掛けが、前記椅子本体に支持された肘支柱と、この肘支柱に対して移動可能に設けられた肘当てと、この肘当てを最前進位置と最後退位置との間で所定の軌道上をスライドさせる肘当て案内機構とを備えたものであり、
前記肘当てが、前記最前進位置及び前記最後退位置において前後方向を向く前向き姿勢を採るものであり、
平面視における前記最後退位置の前記肘当てが、前記最前進位置の前記肘当てよりも前記椅子本体の左右方向中央部から離れて位置するように設定されている椅子。
【請求項２】
前記肘当て案内機構が、前記肘当てを最前進位置と最後退位置との間で中間位置を経て進退動作するように案内するものであり、
前記肘当てが、前記中間位置において前端の位置が最も内側に位置する内向き姿勢を採るものである請求項１記載の椅子。
【発明の詳細な説明】
【技術分野】
【０００１】
本発明は、オフィス等において使用される椅子に関する。
【背景技術】
【０００２】
従来から、オフィス等において好適に使用される椅子が種々知られている（例えば、特許文献１を参照）。
【０００３】
この種の椅子においては、肘掛けとして、肘支柱に対して前後方向にスライド移動可能に構成された肘当てを備えてなるものが知られている。また、その中には、肘当てが、予め設定された所定の軌道上を最前進位置と最後退位置との間でスライド移動し得るものも存在する。
【０００４】
ところが、従来の肘当ては、最後退位置が単に机の天板との干渉を回避するために設定されていることが多く、最後退位置において必ずしも着座者が好適に利用し得るものとはなっていなかった。特に、従来の肘当ては、最後退位置において着座者における近時の使用形態、より具体的には、背凭れに凭れつつスマートフォン等を操作するような使用形態に適切に対応したものとは言えなかった。
【０００５】
さらに、従来の肘当ては、最前進位置と最後退位置において平面視における姿勢が異なっているものも多く、そのようなものでは最前進位置の姿勢と最後退位置の姿勢が着座者にとって予期し難いものとなっている。このため、不慣れな着座者にとっては前後動し得る肘当ての使い方が直感的に分かりづらく、使い勝手の悪い印象を与えかねないものとなっていた。
【先行技術文献】
【特許文献】
【０００６】
【特許文献１】特開平０８−１０５４１５号公報
【発明の概要】
【発明が解決しようとする課題】
【０００７】
本発明は、以上のような事情に着目してなされたものであり、最前進位置における肘当ての姿勢と最後退位置における肘当ての姿勢が着座者に把握されやすく、且つ、最後退位置における肘当てを好適に使用し得る椅子を提供することにある。
【課題を解決するための手段】
【０００８】
すなわち、本発明の椅子は次の構成をなしている。
【０００９】
請求項１に係る発明は、椅子本体とこの椅子本体に取り付けられた肘掛けとを備えた椅子であって、前記椅子本体が、支持基部に座と背凭れとを傾動可能に支持させてなるものであり、標準姿勢と後傾姿勢とを採り得るように構成されており、前記肘掛けが、前記椅子本体に支持された肘支柱と、この肘支柱に対して移動可能に設けられた肘当てと、この肘当てを最前進位置と最後退位置との間で所定の軌道上をスライドさせる肘当て案内機構とを備えたものであり、前記肘当てが、前記最前進位置及び前記最後退位置において前後方向を向く前向き姿勢を採るものであり、平面視における前記最後退位置の前記肘当てが、前記最前進位置の前記肘当てよりも前記椅子本体の左右方向中央部から離れて位置するように設定されている椅子である。
【００１０】
請求項２に係る発明は、前記肘当て案内機構が、前記肘当てを最前進位置と最後退位置との間で中間位置を経て進退動作するように案内するものであり、前記肘当てが、前記中間位置において前端の位置が最も内側に位置する内向き姿勢を採るものである請求項１記載の椅子である。
【発明の効果】
【００１１】
以上説明したように本発明によれば、最前進位置における肘当ての姿勢と最後退位置における肘当ての姿勢が着座者に把握されやすく、且つ、最後退位置における肘当てを好適に使用し得る椅子を提供することができるものとなる。
【図面の簡単な説明】
【００１２】
【図１】本発明の第一実施形態を示す斜視図。
【図２】同実施形態における右側面図。
【図３】同実施形態における正面図。
【図４】同実施形態における背面図。
【図５】同実施形態における平面図。
【図６】同実施形態における底面図（脚は省略）。
【図７】同実施形態における分解斜視図。
【図８】同実施形態における分解右側面図。
【図９】同実施形態における縦断面図。
【図１０】同実施形態における分解斜視図。
【図１１】同実施形態における背インナーシェルの背面図。
【図１２】同実施形態における張材の背面図。
【図１３】同実施形態における背面図。
【図１４】図１３におけるＸ−Ｘ線概略断面図。
【図１５】同実施形態における正面図（張材は省略）。
【図１６】同実施形態における背面図（張材は省略）。
【図１７】同実施形態における分解斜視図。
【図１８】同実施形態における分解斜視図。
【図１９】同実施形態における部分的に拡大した分解斜視図。
【図２０】同実施形態における操作部材の分解斜視図。
【図２１】同実施形態における座の左右方向中央断面図（座本体が後位置にある状態）。
【図２２】同実施形態における座の左右方向中央端面図（座本体が前位置にある状態）。
【図２３】同実施形態における座クッションの凹部を表示し得る左右方向中央部の縦断面図（座本体が後位置にある状態）。
【図２４】同実施形態における座の前後方向中央断面図。
【図２５】同実施形態における座本体の底面図。
【図２６】同実施形態における座クッションの底面図。
【図２７】同実施形態における座アウターシェルの部分拡大平面図。
【図２８】同実施形態における操作部材を配置した状態の座アウターシェルの部分拡大平面図。
【図２９】同実施形態における部分拡大平面図（座本体が後位置にある状態）。
【図３０】同実施形態における部分拡大平面図（座本体が前位置にある状態）。
【図３１】同実施形態における部分拡大底面図（座本体が前位置にある状態）。
【図３２】同実施形態における部分拡大平面図（座本体が取付位置にある状態）。
【図３３】同実施形態における斜視図。
【図３４】同実施形態における斜視図。
【図３５】同実施形態における斜視図。
【図３６】同実施形態における分解斜視図。
【図３７】同実施形態における分解斜視図。
【図３８】同実施形態における係合部材の挿通可能位置と係合位置を対比して示す部分拡大正面図。
【図３９】同実施形態における分解斜視図。
【図４０】同実施形態における平面図。
【図４１】同実施形態における平面図。
【図４２】同実施形態における平面図。
【図４３】同実施形態における平面図。
【発明を実施するための形態】
【００１３】
本発明の一実施形態を、図１〜４３を参照して説明する。
【００１４】
この実施形態は、本発明を、オフィス等において好適に使用される事務用の回転椅子である椅子に適用したものである。
【００１５】
椅子は、椅子本体に対して肘掛け６やオプションであるハンガー７やヘッドレスト８を装着し得るように構成されている。椅子本体は、脚１、支持基部２、座３、背支持体４、及び、背凭れ５により構成されたものである。
【００１６】
椅子は、支持基部２及び背支持体４に対して座３及び背凭れ５をシンクロロッキング可能に支持させている。椅子は、図２に示す標準姿勢と当該標準姿勢よりも座３及び背凭れ５を後傾させた後傾姿勢（図示せず）との間でロッキング動作可能に構成されている。椅子における座３の前下部は支持基部２に回転可能に支持されており、座３の後下部は背支持体４に回転可能に支持されている。
【００１７】
椅子は、脚１と、脚１の上端に水平旋回可能に取り付けられた支持基部２と、支持基部２の上に配設された座３と、下端部が支持基部２に回転可能に支持された背支持体４と、背支持体４に取り付けられた背凭れ５と、座３の下面に取り付けられた左右の肘掛け６と、背凭れ５の背面側に着脱可能に取り付けられたハンガー７と、背凭れ５に取り付けられたヘッドレスト８とを備えてなる。
【００１８】
以下、この椅子について詳述する。
【００１９】
＜＜脚１＞＞
脚１は、下端にキャスタを備えた複数本の脚羽根１１と、脚羽根１１の上端部が集合する部位から起立する脚支柱１２とを備えている。脚支柱１２は上下方向に伸縮可能に構成されている。
【００２０】
＜＜支持基部２＞＞
支持基部２は、座３の前下部を回転可能に支持し得るとともに背支持体４の基端部を回転可能に支持し得るものである。支持基部２は、脚支柱１２の上端部に剛結された金属製の部材を主体に構成されており、その外面が合成樹脂製のカバーにより覆われている。
【００２１】
＜＜座３＞＞
座３は、支持基部２の上に配されている。座３は、合成樹脂により形成されたシェル状をなす座受たる座アウターシェルＡと、座アウターシェルＡの上に配され当該座アウターシェルＡに対して前後方向にスライド移動可能に支持された座本体Ｂと、座本体Ｂに対して上位置と下位置との間で上下動可能に支持され下位置にあるときに座本体Ｂを座アウターシェルＡの所定の位置に位置決めし得るとともに上位置にあるときに座アウターシェルＡとの前後方向への移動規制状態が解かれ座本体Ｂを座アウターシェルＡに対して前後方向にスライド移動可能な状態にし得る操作部材Ｃを備えている。
【００２２】
座３は、座本体Ｂが後位置（ｒ）にあるときに、座本体Ｂの中央部下面すなわち下向面３３ｆと座アウターシェルＡの中央部上面すなわち上向面３１ｅとの間に、座本体Ｂの下方への撓みを許容し得る撓み許容空間たる座撓み許容空間Ｄが形成されている。
【００２３】
＜座アウターシェルＡ＞
座アウターシェルＡは、上部において座本体Ｂを支持し得る大きさを有したシェル状の形態をなしている。座アウターシェルＡは、使用可能状態すなわち座３の組み立てが完了した状態において座本体Ｂを最前位置となる前位置（ｆ）と最後位置となる後位置（ｒ）との間でスライド移動可能に支持し得るものである。座アウターシェルＡは、前部が支持基部２に枢着されており、後部が背支持体４の基端部近傍に枢着されている。椅子が使用可能状態である場合に、座本体Ｂの前位置（ｆ）はスライド可能な最前位置であり、座本体Ｂの後位置（ｒ）はスライド可能な最後位置である。
【００２４】
座アウターシェルＡは、上部において座本体Ｂを支持し得るシェル状の形態をなす座受本体たる座アウターシェル本体３１と、座アウターシェル本体３１から上向きに突設された複数すなわち四本の抜止突起３２とを備えている。座アウターシェル本体３１と抜止突起３２は一体的に形成されている。
【００２５】
［座アウターシェル本体３１］
座アウターシェル本体３１は、前部における一方側たる右側（正面から見て右側・着座者からみて左側）の上面側に、下位置における操作部材Ｃの係合部３５ｂが選択的に係り合う凹陥形状をなす複数の被係合部３１ａが前後方向に並設されている。被係合部３１ａは下方に凹み上方に開放された凹陥形状をなしている。被係合部３１に係り合う操作部材Ｃは上から座クッション３４により押されている。操作部材Ｃに設けた係合部３５ｂは、下方に凹んだ被係合部３１ａに座クッション３４の弾性付勢力や着座者の体重を利用して確実に係り合うようになっている。座アウターシェル本体３１には、前後方向に並ぶ複数の被係合部３１ａと略平行をなして上下方向に貫通し前後方向に延びた座受スリット３１ｂを備えている。座受スリット３１ｂ内には、座本体Ｂと一体的に前後動し得る操作部材Ｃの一部すなわち上下方向中間部が位置し得る。座受スリット３１ｂにおける前端部は、操作部材Ｃを構成する操作端部材たるキャップ３６の移動規制部３６ｃが当接し得る係止部３１ｃとなっている。座受スリット３１ｂの前部には操作部材Ｃの係合部材３５を支持させた座本体Ｂを座アウターシェルＡに取り付ける際にのみ、換言すれば、座本体Ｂが取付位置（ｔ）に位置するときにのみ、操作部材Ｃにおける係合部材３５の下部を上から下に向かって挿入し得る幅広部３１ｄを備えている。
【００２６】
座アウターシェル本体３１には、平面視における前後方向及び左右方向の中央部に座本体Ｂの下方への撓みを許容するための座撓み許容空間Ｄを形成する下面側となる上向き面３１ｅを備えている。
【００２７】
［抜止突起３２］
抜止突起３２は、座アウターシェル本体３１に立設された正面視において略Ｔ字状の外観をなしたものである。抜止突起３２は、座本体Ｂの座インナーシェル３３と係わり合うことにより座本体Ｂを座アウターシェルＡに対して離脱不能に支持し得るとともに座本体Ｂを座アウターシェルＡに対して前後スライド可能に位置決めし得るものである。抜止突起３２は、座アウターシェル本体３１の前部における左右の二箇所、及び、座アウターシェル本体３１の後部における左右の二箇所に立設されている。抜止突起３２は、座アウターシェル本体３１と合成樹脂により一体的に形成されている。
【００２８】
抜止突起３２は、使用可能状態において、座インナーシェル３３の案内スリット３３ａにおけるメインスリット３３ｂ内に位置し得る柱状をなす起立部３２ａと、起立部３２ａの上端部に設けられ且つ当該起立部３２ａよりも大きな幅寸法をなし座インナーシェル３３の案内スリット３３ａにおけるメインスリット３３ｂよりも幅広に形成された抜止部３２ｂとを備えている。抜止部３２ｂの幅寸法は、座インナーシェル３３に設けられた挿脱孔３３ｃの開口幅よりも小さく設定されている。
【００２９】
＜座本体Ｂ＞
座本体Ｂは、上面に着座面を有している。座本体Ｂは、合成樹脂により形成されたシェルすなわちインナーシェルたる座インナーシェル３３と、座インナーシェル３３の上に配されたクッション材たる座クッション３４と、座クッション３４の外面と座インナーシェル３３の周縁部とを外側から被覆する図示しない表皮材とを備えている。
【００３０】
［座インナーシェル３３］
座インナーシェル３３は、着座者の荷重を均等に支持する役割を担う平面視において略矩形状をなしたものである。座インナーシェル３３は、座アウターシェルＡに設けられた抜止突起３２が係合し得る前後方向に延びた案内スリット３３ａと、前後方向中央部に設けられ座クッション３４の凹部３４ａに対応させて複数設けられたスリットたる座中央部スリット３３ｄと、操作部材Ｃを上下動可能且つ下方に抜け出し不能に支持し得る操作部材保持孔３３ｅを備えている。
【００３１】
案内スリット３３ａは、座アウターシェルＡの抜止突起３２と前後方向に相対移動可能且つ離脱不能に係り合うメインスリット３３ｂと、メインスリット３３ｂに隣接する位置すなわちメインスリット３３ｂの後に設けられ抜止突起３２を挿脱可能に構成された挿脱孔３３ｃとを備えている。
【００３２】
この実施形態の椅子は、図３２に示すように、座本体Ｂが取付位置（ｔ）にあるときにのみ、座インナーシェル３３の挿脱孔３３ｃに座アウターシェルＡの抜止突起３２が位置し得るようになっている。つまり、座本体Ｂが座アウターシェルＡに対して前位置（ｆ）よりも更に前に位置した取付位置（ｔ）に位置付けられた場合にのみ、挿脱孔３３ｃと合致するように抜止突起３２が位置し、座本体Ｂを座アウターシェルＡに取り付け得るとともに座本体Ｂを座アウターシェルＡから離脱させ得るようになっている。
【００３３】
なお、座インナーシェル３３に操作部材Ｃを構成する係合部材３５のみを支持させている場合には、座本体Ｂは、取付位置（ｔ）にまで移動することが可能であるが、係合部材３５にキャップ３６を装着した後は当該キャップ３６に設けた移動規制部３６ｃが作用して座本体Ｂは、取付位置（ｔ）に位置することができないように構成されている。
【００３４】
座中央部スリット３３ｄは、前後方向に延びたものである。座中央部スリット３３ｄは、左右方向に一定の間隔を空けて複数本平行に設けられている。各座中央部スリット３３ｄは、隣接する他の座中央部スリット３３ｄと平行をなし、且つ、略同じ長さに設定されている。なお、座インナーシェル３３に上載される座クッション３４の下面には、座中央部スリット３３ｄに対応する位置に凹部３４ａが設けられている。
【００３５】
操作部材保持孔３３ｅは、上下方向に貫通して設けられているものである。操作部材保持孔３３ｅは、座インナーシェル３３における前部の一方側すなわち正面視における右側（着座者からみた左側）に設けられている。操作部材保持孔３３ｅは、操作部材Ｃが上下動し得るように操作部材Ｃの形態に対応させた略十字状の形状をなしている。操作部材保持孔３３ｅは、操作部材Ｃを構成する係合部材３５の上端部に形成された抜け止め頭部３５ｃが下方に通過し得ない形状に設定されている。
【００３６】
座インナーシェル３３には、底面視における前後方向及び左右方向の中央部に座本体Ｂの下方への撓みを許容するための座撓み許容空間Ｄを形成する上面側となる下向き面３３ｆを備えている。
【００３７】
［座クッション３４］
座クッション３４は、発泡材を主体に作られたものである。座クッション３４は、ウレタンフォーム材により形成されたものである。座クッション３４の下面には、座クッション支持用のシェルである座インナーシェル３３が取り付けられている。
【００３８】
座クッション３４は、その下面側に、座インナーシェル３３に設けられた座中央部スリット３３ｄに対応させて下向きに開放された複数の凹部３４ａが設けられている。
【００３９】
複数の凹部３４ａは、座インナーシェル３３に設けた複数の座中央部スリット３３ｄに対応させて同じ数設けられている。各凹部３４ａの少なくとも一部は、座インナーシェル３３の各座中央部スリット３３ｄと合致するように設定されている。各凹部３４ａの左右方向の位置は、底面視において座インナーシェル３３の各座中央部スリット３３ｄと略合致する位置に形成されている。座３に対して着座者が着座すると、各凹部３４ａ内の空気は、変形した座クッション３４により下方に押し出され座インナーシェル３３の各座中央部スリット３３ｄを通過して外部に排出されるようになっている。
【００４０】
座クッション３４の下面側には、座インナーシェル３３に支持された操作部材Ｃに対応する位置に座クッション３４自体の弾性を利用して操作部材Ｃを下方に付勢し得る操作部材付勢部３４ｂが形成されている。操作部材Ｃは、操作部材Ｃの上に配された座クッション３４の弾性付勢力を受けて下方に常時押圧されたものとなっている。座本体Ｂを構成する座クッション３４及び座インナーシェル３３と、操作部材Ｃとは前後方向の相対位置が変わらないものとなっているため、操作部材付勢部３４ｂを設定できるものとなっている。
【００４１】
＜操作部材Ｃ＞
操作部材Ｃは、座本体Ｂに支持され座アウターシェルＡに対して前後方向にスライド移動可能な座本体Ｂを特定の位置に位置決めし得るものである。操作部材Ｃは、座本体Ｂに支持され上位置と下位置との間を上下動可能に構成されている。操作部材Ｃは、弾性を有した座クッション３４によって下方に付勢されており、非操作状態において下位置に位置するものとなっている。操作部材Ｃは、下位置にあるときに座アウターシェルＡに設けた複数の被係合部３１ａに対して選択的に係り合う係合部３５ｂを備えた係合部材３５と、係合部材３５の下端部に装着された操作端部材たるキャップ３６とを備えたものである。
【００４２】
［係合部材３５］
係合部材３５は、上下方向に延びた板状をなす係合部材本体３５ａと、係合部材本体３５ａから片持ち状に延出し先端部が座アウターシェルＡの被係合部３１ａに係り合う係合部３５ｂと、係合部材本体３５ａの上端部に当該係合部材本体３５ａよりも幅広に設けられた抜け止め頭部３５ｃと、座アウターシェルＡの座受スリット３１ｂの周縁部と係わり合い操作部材Ｃの上位置すなわち上に移動する際の上限位置を規定する規制突起３５ｄと、係合部材本体３５ａの下端部に設けられキャップ３６と係合し当該キャップ３６と係合部材３５とを連結するキャップ係合爪３５ｅとを備えている。係合部材３５の一部すなわち係合部材３５の上下方向中間部は、座アウターシェルＡに設けた座受スリット３１ｂ内に位置している。そして、座本体Ｂを前後動させる際、使用者の操作により上位置に移動された係合部材３５は座本体Ｂのスライド移動に連動して座受スリット３１ｂに案内されて前後動し得るものとなっている。
【００４３】
［キャップ３６］
キャップ３６は、内側部に係合部材３５のキャップ係合爪３５ｅと係り合う被係合部３６ｂを設けたキャップ本体３６ａと、キャップ本体３６ａの前側に前向きに突設され座アウターシェルＡにおける座受スリット３１ｂの前端部たる係止部３１ｃと係わり合い座本体Ｂを取付位置（ｔ）にスライドし得ないよう規制する移動規制部３６ｃを備えている。
【００４４】
キャップ本体３６ａの被係合部３６ｂは架設板状をなしたものであり、係合部材３５にキャップ３６を装着する際に、一時的に弾性変形した上で、係合部材３５のキャップ係合爪３５ｅに係合し得るものとなっている。
【００４５】
移動規制部３６ｃは、キャップ本体３６ａよりも前側に突出した柱状をなしたものである。移動規制部３６ｃの幅寸法は、座受スリット３１ｂ内に位置し得る幅寸法に設定されている。
【００４６】
座３を組み立てる際に、係合部材３５を支持した状態の座本体Ｂは、取付位置（ｔ）において座アウターシェルＡに対して取り付け可能になっている。一方で、取付位置（ｔ）では、操作部材Ｃを構成するキャップ３６が、移動規制部３６ｃに邪魔されて（移動規制部３６ｃが座アウターシェルＡと干渉して）キャップ３６を係合部材３５に取り付けることができないようになっている。取付位置（ｔ）において座アウターシェルＡに対して装着された座本体Ｂ（係合部材３５を支持した状態のもの）を、その後、後方にスライドさせて前位置（ｆ）と後位置（ｒ）の間に位置させることにより、キャップ３６を係合部材３５に適切に取り付けることができるようになっている。キャップ３６が係合部材３５に装着された後は、座本体Ｂが前位置（ｆ）にあるときにキャップ３６の移動規制部３６ｃが座アウターシェルＡの係止部３１ｃに当接することになり、それ以上の移動ができなくなる。つまり、キャップ３６の移動規制部３６ｃが作用して、座本体Ｂにおける前位置（ｆ）よりも更に前に向かう移動が規制され、結果として、座本体Ｂは、前位置（ｆ）を越えて取付位置（ｔ）に移動し得ないようになっている。
【００４７】
＜座撓み許容空間Ｄ＞
座本体Ｂは、座クッション３４と、座クッション３４の下面に添接した座インナーシェル３３とを備えている。座本体Ｂは、座アウターシェルＡの上に前後方向にスライド移動可能に支持されている。座本体Ｂが所定位置にあるとき、具体的には、図２１及び図２３に示すように、座本体Ｂが後位置（ｒ）にあるときに、座本体Ｂと座アウターシェルＡとの間に、座インナーシェル３３が下方に撓むのを許容し得る座撓み許容空間Ｄが形成されている。
【００４８】
すなわち、座アウターシェル本体３１には、平面視における前後方向及び左右方向の中央部に上向き面３１ｅを備えている。座インナーシェル３３には、前後方向及び左右方向の中央部に下向き面３３ｆを備えている。そして、座アウターシェル本体３１の上向き面３１ｅと座インナーシェル３３の下向き面３３ｆとの間が離間している。座３は、当該上向き面３１ｅと下向き面３３ｆとの離間空間を座撓み許容空間Ｄとしている。なお、図２２に示すように、座本体Ｂが前位置（ｆ）にあるときには、無負荷状態において座撓み許容空間Ｄに座本体Ｂの下部が位置しているため座撓み許容空間Ｄが殆ど形成されない状態になる。
【００４９】
本実施形態の椅子は、座本体Ｂが、前位置（ｆ）よりも前に設定された取付位置（ｔ）においてのみ、座アウターシェルＡに装着され得るものとなっている。つまり、座本体Ｂが取付位置（ｔ）にあるときにのみ、案内スリット３３ａの挿脱孔３３ｃに座アウターシェルＡに設けられた抜止突起３２が通過し得るようになっている。なお、座本体Ｂを座アウターシェルＡに装着する段階で、予め、操作部材Ｃの係合部材３５は座インナーシェル３３の操作部材保持孔３３ｅに保持されている。座本体Ｂに支持された係合部材３５の下部は、座本体Ｂが取付位置（ｔ）にあるときにのみ座受スリット３１ｂの幅広部３１ｄを通過し得るようになっている。
【００５０】
座本体Ｂの挿脱孔３３ｃに座アウターシェルＡの抜止突起３２が通過した状態であっても、座本体Ｂが取付位置（ｔ）にある状態では、係合部材３５に対してキャップ３６が取り付けられないようになっている。このため、キャップ３６は、座本体Ｂを後方にスライドさせて前位置（ｆ）と後位置（ｒ）との間に位置させた後に、係合部材３５に対して取り付けられる。換言すれば、座本体Ｂが、使用可能状態における通常可動位置すなわち、前位置（ｆ）と後位置（ｒ）との間に位置するときにのみ、キャップ３６を係合部材３５に取り付け得るものとなっている。キャップ３６の被係合部３６ｂは架設板状をなしており一時的な弾性変形を経て係合部材３５のキャップ係合爪３５ｅに係り合うようになっている。つまり、座本体Ｂを座アウターシェルＡに装着し、その後、座本体Ｂを後退させて前位置（ｆ）と後位置（ｒ）との間に位置させ、キャップ３６を係合部材３５に向けて押し付ければ、キャップ３６は係合部材３５に離脱し難い態様で比較的容易に装着されるようになっている。
【００５１】
＜＜背支持体４＞＞
背支持体４は、背凭れ５を支持するものである。背支持体４は、背面視において一本の柱状をなしている。背支持体４は、背凭れ５の左右方向中間部における上部及び下部に接続している。背支持体４における背凭れ５の後側に位置する部分は、背面視において背凭れ５の左右方向中間部に位置している。
【００５２】
背支持体４は、支持基部２と接続する下部背フレーム４１と、下部背フレーム４１に対して回動可能に支持された上部背フレーム４２とを備えている。下部背フレーム４１は、下端部を支持基部２に回転可能に支持させている。下部背フレーム４１は、下端部の近傍において座アウターシェルＡの後端部を支持している。下部背フレーム４１は、上端部において上部背フレーム４２を前後方向に回転可能に支持するとともに背凭れ５の下端部と接続している。上部背フレーム４２の上端部は、背凭れ５の上部に接続している。なお、詳しくは後述するハンガー７が背凭れ５の背アウターシェルＥに取り付けられている。ハンガー７は、背アウターシェルＥにおける背支持体４と接続する部位の近傍に取り付けられている。そして、ハンガー本体Ｍの連結部分７２ｆが上部背フレーム４２との間に隙間ｓｋを形成し得るように後方に凸をなすように湾曲したものとなっている。ハンガー本体Ｍの連結部分７２ｆは、背支持体４の後方に当該背支持体４に対して離間して配されているものであるため、椅子全体を床面に対して移動させる際に使用されるハンドルとして機能し得るものとなっている。
【００５３】
＜＜背凭れ５＞＞
背凭れ５は、合成樹脂によりシェル状に形成された背板すなわち後背板たる背アウターシェルＥと、合成樹脂によりシェル状に形成され背アウターシェルＥの前側に配された背板すなわち前背板たる背インナーシェルＦと、背アウターシェルＥに対して左右方向にスライド移動可能に取り付けられ背インナーシェルＦの一部であるランバーサポーター５５を後から押圧して所定のランバーサポート機能を発揮し得る左右の押出部材Ｇと、背インナーシェルＦ及びヘッドレスト８を被覆する張材Ｈとを備えたものである。背インナーシェルＦと背アウターシェルＥとの間には、背インナーシェルＦの後方への撓みを許容し得る撓み許容空間たる背撓み許容空間Ｉが設けられている。背アウターシェルＥは、背インナーシェルＦと比較して剛性が高く設定されている。背インナーシェルＦは、背アウターシェルＥよりも薄板状をなしているため、背アウターシェルＥと比較して荷重を受けた際の弾性変形度合いが高く設定されている。
【００５４】
なお、張材Ｈに関する説明は、主として、図１〜５、図１０、図１２〜１４を参照して行うものとし、その他の図面においては、説明の便宜上、張材Ｈを省略しているものがある。
【００５５】
＜背アウターシェルＥ＞
背アウターシェルＥは、板状をなし背インナーシェルＦを支持する合成樹脂製のものである。背アウターシェルＥは、側面視において前方に向けて凸となる形状、すなわち、くの字状に形成されている。背アウターシェルＥは、平面視において後方に向けて凸となるように湾曲した形状をなしている。背アウターシェルＥは、上部及び下部のそれぞれに背インナーシェルＦを支持するための上の取付部たる係合爪５２と下の取付部たる嵌合凹部５１ｂが設けられている。
【００５６】
背アウターシェルＥは、着座者Ｐの背中を後方から支持し得る大きさを有した矩形板状の背アウターシェル本体５１と、背アウターシェル本体５１から突設された上の取付部たる係合爪５２とを備えている。
【００５７】
［背アウターシェル本体５１］
背アウターシェル本体５１は、意匠性の向上のため、通気性を高めるため、又は、弾性変形を惹起し易くするための複数の貫通孔５１ａを備えている。複数の貫通孔５１ａは、前後方向に貫通した横長孔状のものである。複数の貫通孔５１ａは、背アウターシェル本体５１の上部に設けられている。背アウターシェル本体５１は、下部における隣り合う貫通孔５１ａの上下方向及び左右方向の離間度合いよりも、上部における隣り合う貫通孔５１ａの上下方向及び左右方向の離間度合いのほうが低く（短く）設定されている。このため、背アウターシェル本体５１は、外観のグラデーションを演出したものとなっている。また、背アウターシェル本体５１は、背支持体４により保持される部分の周辺に複数の貫通孔５１ａを設けているため、背アウターシェル本体５１の過度な変形を抑えながら外観の変化や通気性を向上させることが可能となっている。
【００５８】
後述するように、椅子は、背アウターシェルＥに設けた複数の貫通孔５１ａを利用してオプションであるハンガー７を使用者による背面側からの取付操作のみで背アウターシェルＥに取り付け得るように構成されている。背アウターシェル本体５１における下部の前面側には、背インナーシェルＦにおける下部の背面に突設された嵌合突起５３ｅが嵌合し得る下の取付部たる嵌合凹部５１ｂが設けられている。ハンガー７は、強度的に優れた背アウターシェルＥにおける背支持体４との接続部分近傍に取り付けられている。
【００５９】
［係合爪５２］
上の取付部を構成する係合爪５２は、背インナーシェルＦと係わり合い当該背インナーシェルＦの上部を支持するためのものである。係合爪５２は、背アウターシェル本体５１の前面側における上部に複数設けられている。より具体的に言えば、係合爪５２は、左右方向に間隔を空けて四箇所に設けられている。係合爪５２は、背インナーシェルＦに設けた係合孔５３ｃに背面側から挿入されて係合するＬ字フック状をなしたものである。係合爪５２は、背アウターシェル本体５１から前方に突出する基端部５２ａと、基端部５２ａの前端から上方に延出する上延出部５２ｂとを備えている。上延出部５２ｂの上端は、背面視において背アウターシェル本体５１の上縁よりも上に位置している。
【００６０】
後述するように、背インナーシェルＦは、背アウターシェル本体５１の上端縁よりも背面視おいて上方に突出した部位たる突出部分５３ｊを有している。このため、背インナーシェルＦと係り合う係合爪５２の上端部が背アウターシェル本体５１よりも上に位置し得るまで係合爪５２の位置を背アウターシェルＥの上側に位置させるようにしており、これにより背インナーシェルＦの突出部分５３ｊを含む上部を安定的に支持させ得るようにしている。
【００６１】
＜背インナーシェルＦ＞
背インナーシェルＦは、板状をなした合成樹脂製のものである。背インナーシェルＦは、着座者Ｐの背中を後方から支持し得る大きさを有している。背インナーシェルＦは、側面視において前方に向けて凸となる形状、すなわち、くの字状に形成されている。背インナーシェルＦは、平面視において後方に向けて凸となるように湾曲した形状をなしている。
【００６２】
背インナーシェルＦは、正面視において略矩形の外周縁部を有する前背板本体たる背インナーシェル本体５３と、背インナーシェル本体５３における中央部から後方に突設された板バネ部５４と、板バネ部５４よりも下である着座者の腰部に対応する位置に配され背インナーシェル本体５３に帯状の連結部材５６を介して支持されたランバーサポーター５５とを備えている。
【００６３】
ランバーサポーター５５は、背アウターシェルＥに対して左右方向にスライド移動可能に支持された押出部材Ｇによって後方から押圧されるようになっている。
【００６４】
本実施形態では、背インナーシェル本体５３、板バネ部５４、連結部材５６、及び、ランバーサポーター５５は、合成樹脂により一体的に形成されている。
【００６５】
［背インナーシェル本体５３］
背インナーシェル本体５３は、背アウターシェルＥと近似した外縁形状をなしている。背インナーシェル本体５３は、ランバーサポーター５５を配する領域を形成する開口部５３ａを有している。
【００６６】
背インナーシェル本体５３の背面側には、当該背インナーシェル本体５３の左右の側端縁に沿うように位置決め突起５３ｂが設けられている。換言すれば、位置決め突起５３ｂは、背インナーシェル本体の左右の側端部に配されている。位置決め突起５３ｂは、背インナーシェル本体５３の左右の側端縁と略平行をなし上下方向に連続的に設けられている。位置決め突起５３ｂは、背インナーシェルＦの側端縁よりも左右方向中央部側の位置における背インナーシェル本体５３の背面側に設けられている。なお、位置決め突起５３ｂは、背インナーシェルＦの側端縁に設けられたものであってもよいし、上下方向に連続的ではなく間欠的に設けられてもよい。
【００６７】
背インナーシェル本体５３の上部には、前後方向に貫通し正面視において上下方向に延びた四角孔状をなす係合孔５３ｃが左右方向に複数並んで設けられている。係合孔５３ｃは、背アウターシェルＥの係合爪５２に対応させて設けられている。係合孔５３ｃには、取付時において背アウターシェルＥの係合爪５２が後側から挿入されるものとなっている。
【００６８】
背インナーシェル本体５３の上部には、前後方向に貫通した凸形状をなす引っ掛け孔５３ｄが左右方向に複数並んで設けられている。引っ掛け孔５３ｄは、張材Ｈに設けられた上の補強部材５８のフック部５８ａを係合させるものである。
【００６９】
背インナーシェル本体５３の下部の背面側には、背アウターシェルＥに設けられた嵌合凹部５１ｂに嵌合する嵌合突起５３ｅが設けられている。
【００７０】
背インナーシェル本体５３には、上下方向中間部の左右にそれぞれヘッドレスト８を装着する際に用いられる位置決め孔５３ｆを備えている。なお、椅子が、ヘッドレスト８を装着しない仕様である場合、すなわち、ヘッドレスト８の支持に使用される位置決め孔５３ｆが使用されない場合には、当該位置決め孔５３ｆは、塞ぎ板５３ｇにより閉塞されている。なお、図７〜９では、説明の便宜上、塞ぎ板５３ｇを表示した状態の図を示している。また、この実施形態における椅子は、図１５及び図１６に示すように、背インナーシェルＦとしてローバックタイプ（ＬＢ）のものを採用したときにのみヘッドレスト８を装着し得るようになっており、背インナーシェルＦとしてローバックタイプ（ＬＢ）のものよりも背の高いハイバックタイプ（ＨＢ）のものを採用した場合は、ヘッドレスト８を装着できないようになっている。このため、ハイバックタイプ（ＨＢ）の背インナーシェルＦを示した図１０、図１１、図１３、図１５（ｂ）には、位置決め孔５３ｆ及び塞ぎ板５３ｇが設けられていないものとなっている。
【００７１】
［板バネ部５４］
板バネ部５４は、着座者の荷重を受けて後方に移動し得る背インナーシェル本体５３に一体的に設けられたものである。板バネ部５４は、少なくとも背インナーシェルＦが着座者の荷重を受けて後方すなわち背撓み許容空間Ｉ側に移動した際に、背アウターシェルＥの前面に対して直接当接し得るように構成されている。板バネ部５４は背インナーシェル本体５３に対して後方に突出している。
【００７２】
なお、背インナーシェル本体５３が着座者の荷重を受けていない場合には、必ずしも板バネ部５４が背アウターシェルＥに当接している必要はなく離間していてもよいし、その反対に、着座者の荷重を受けていない場合であっても板バネ部５４が背アウターシェルＥに当接しているように設定されていてもよい。板バネ部５４は、背インナーシェル本体５３と一体ではなく、別部材を取り付けて構成してもよい
板バネ部５４は、背インナーシェル本体５３における上下方向及び左右方向の略中央部に一体的に設けられている。板バネ部５４は、背インナーシェル本体５３に対して後方に突出するように複数設けられている。具体的には、背インナーシェルＦの略中央部に左右に離間させて二つの板バネ部５４が設けられている。
【００７３】
板バネ部５４は、背インナーシェル本体５３に対して傾斜して後方に延出した傾斜バネ部分５４ａと、傾斜バネ部分５４ａの先端部に設けられ背アウターシェルＥの前面に当接し得る当接部分５４ｂとを備えている。当接部分５４ｂは、その背面が背アウターシェルＥの前面に当たる最初の段階で面的に当たり得るように背アウターシェルＥの当たり部分と略平行をなすように形成されている。
【００７４】
板バネ部５４は、背インナーシェル本体５３に干渉しないように設けられている。より具体的に言えば、背インナーシェルＦが着座者の荷重を受けて背撓み許容空間Ｉ側に移動し、板バネ部５４が背インナーシェル本体５３に寄る方向に変形した場合であっても、当該板バネ部５４が背インナーシェル本体５３に当たらないように構成されている。
【００７５】
すなわち、背インナーシェル本体５３には、板バネ部５４が弾性変形し背インナーシェル本体５３に対して板バネ部５４が相対移動した際に、板バネ部５４が位置し得る切欠き空間５３ｉを形成した切欠部５３ｈを備えている。そして、切欠き空間５３ｉに位置し得る板バネ部５４は、その基端部を切欠部５３ｈの端縁に接続したものとなっている。
【００７６】
換言すれば、着座者の荷重を受けて背インナーシェル本体５３が背撓み許容空間Ｉ側に移動した場合であっても、板バネ部５４が背インナーシェル本体５３に干渉しないようになっている。このため、着座者は、背インナーシェル本体５３と板バネ部５４とが略面一になるような相対位置関係になるまで、背インナーシェル本体５３を後方に押圧し得るものとなっている。つまり、この実施形態における椅子の背インナーシェルＦは、背インナーシェル本体５３が板バネ部５４に阻止されることなく後方に移動し得る構成をなしているため背撓み許容空間Ｉを無駄なく有効に活用し得るものとなっている。
【００７７】
［ランバーサポーター５５］
ランバーサポーター５５は、略板状をなしている。ランバーサポーター５５は、背アウターシェルＥに支持され左右方向にスライド移動し得る押出部材Ｇによって後方から押し出されることにより、略全体すなわち、直接的に押し出される部位及びその周囲の部位が前後方向に移動され得るように構成されている。
【００７８】
ランバーサポーター５５は、背インナーシェル本体５３に形成された開口部５３ａ内に背インナーシェル本体５３と干渉しない位置に配設されている。ランバーサポーター５５は、帯状をなす連結部材５６を介して背インナーシェル本体５３と接続している。換言すれば、ランバーサポーター５５と背インナーシェル本体５３との間は連結部材５６以外の部分において離間している。ランバーサポーター５５と板バネ部５４との間も離間したものとなっている。
【００７９】
＜押出部材Ｇ＞
左右の押出部材Ｇは、使用者に把持されて左右独立して直接的に操作されるものである。左右の押出部材Ｇは、使用者が把持し得る把持部を有し、使用者による直接的な操作力を受けて背アウターシェルＥに対して左右方向にスライド移動され得るものである。左右の押出部材Ｇは、背インナーシェルＦの一部に設けられた板状をなすランバーサポーター５５を後から押圧し着座者の腰部分を押圧するランバーサポート機能を発揮させ得るものとなっている。換言すれば、背アウターシェルＥに設けた左右の押出部材５５と背インナーシェルＦに設けたランバーサポーター５５とを主体にして着座者の腰部分を押圧支持し得るランバーサポート装置が構成されている。左右の押出部材Ｇの操作の程度を異ならせれば、ランバーサポーター５５を傾けることも可能である。
【００８０】
＜張材Ｈ＞
張材Ｈは、背インナーシェルＦの前面及び周縁部を覆い得るものである。張材Ｈは、図１４に示すように、発泡材や不織布等により構成されたクッション材５７ｂを有しその外面に張地５７ａを張り設けたものである。なお、張材Ｈは、張地５７ａを主体に構成されていればよく、クッション材を設けていないものであってもよい。張材Ｈは、背インナーシェルＦにおいて背アウターシェルＥにより隠されていない部分を被覆するようになっている。
【００８１】
張材Ｈは、外面側に張地５７ａを配した張材本体５７と、張材本体５７の端縁に取り付けられた補強部材たる上の（上部の）補強部材５８と左右の（側部の）補強部材５９とを備えている。この実施形態では、左右に対をなして配された左右（側部の）の補強部材５９は上下方向に延びた帯状に形成されている。
【００８２】
［張材本体５７］
張材本体５７は、背インナーシェルＦの前面側に発泡材により構成されたクッション材５７ｂを配するとともに外面に張地５７ａを張り設けたものである。張材本体５７は、背インナーシェルＦにおける前面の全域、周縁部、上部及び下部における後面を覆い得る形態をなしている。張地５７ａは、一定の伸縮性を有したシート状のものであり、布材や合成樹脂製のシート材などにより構成されている。
【００８３】
［上の（上部の）補強部材５８］
上の補強部材５８は、合成樹脂製をなす左右方向に延びた帯状のものである。上の補強部材５８は、背インナーシェルＦよりも背面側に位置する張材本体５７の端縁に縫着されている。上の補強部材５８の下端部には、左右方向に間隔を空けて複数のフック部５８ａが設けられている。これらフック部５８ａは、背インナーシェルＦに設けられた引っ掛け孔５３ｄに対して係合し得るものとなっている。
【００８４】
［左右の（側部の）補強部材５９］
左右の補強部材５９は、上下方向に連続的に延びてなる帯状をなした合成樹脂製のものである。左右の補強部材５９は、背インナーシェルＦの背面側に位置する張材本体５７の左右の側端縁に縫着されている。換言すれば、左右の補強部材５９は縫い付け部ｎｙを介して張材本体５７の左右の開口縁部に取り付けられている。
【００８５】
左右の補強部材５９は、背インナーシェルＦに対して位置決めされ得るものとなっている。すなわち、左右の補強部材５９の外側端縁５９ａは、背インナーシェルＦに突設された位置決め突起５３ｂに係合すなわち当接することにより、左右の補強部材５９が背インナーシェルＦに対して位置決めされている。
【００８６】
左右の補強部材５９は、背面視において張材本体５７に被覆されている。つまり、張材Ｈは、左右の補強部材５９の背面側に張材本体５７を被覆させているものである。
【００８７】
背インナーシェルＦに対して張材Ｈを張り設ける手順は、例えば、次のようにして行われる。
【００８８】
背インナーシェルＦの上縁部近傍及び下縁部近傍に、袋状をなした張材Ｈの上部及び下部を装着する。そして、張材本体５７の上部に縫着された上の補強部材５８のフック部５８ａを、背インナーシェルＦに設けた引っ掛け孔５３ｄに係り合わせる。
【００８９】
次いで、背インナーシェル本体５３における背面側の左右に設けられた位置決め突起５３ｂに、左右の補強部材５９の外側端縁５９ａを当接させる。その状態すなわち位置決め突起５３ｂに左右の補強部材５９の外側端縁５９ａを当接した状態を維持したまま、張材本体５７を伸張させつつ左右の補強部材５９を必要に応じて姿勢変更及び上下位置変更し、最終的に、左右の補強部材５９の前面（背インナーシェルＦ側を向く面）が背インナーシェル本体５３の背面に添接し得る状態にする。その状態で、左右の補強部材５９を、背インナーシェル本体５３に対して止着具であるステープルｓｔにより取り付ける。
【００９０】
ステープルｓｔは、タッカー等の取付器具を用いて取り付けられる金属製のものである。ステープルｓｔは、張材本体５７、左右の補強部材５９の順に貫通し、当該張材本体５７及び左右の補強部材５９を背インナーシェルＦの背面側に固定し得るものとなっている。
【００９１】
背インナーシェルＦは、その背面側に配された背アウターシェルＥに支持されている。つまり、左右の補強部材５９を配した張材Ｈの側端縁を背インナーシェルＦの背面側にタッカー止めすることによって、外部に露出するステープルｓｔは、背アウターシェルＥに覆われて隠蔽されるものとなる。
【００９２】
本実施形態に示される椅子は、図１５及び図１６に示す通り、共通すなわち単一種類の背アウターシェルＥに対して複数タイプの背インナーシェルＦの内、任意に選択された一のタイプの背インナーシェルＦを選択して支持させ得るものとなっている。換言すれば、椅子は、共通の背アウターシェルＥに対して複数タイプすなわちローバックタイプ（ＬＢ）とハイバックタイプ（ＨＢ）の背インナーシェルＦの内、任意に選択された一方のタイプの背インナーシェルＦを選択して支持させ得るシステムに基づいて作られている。
【００９３】
すなわち、椅子は、高さ寸法の異なる複数タイプの背インナーシェルＦから選択された一の背インナーシェルＦを、共通の背アウターシェルＥの取付部たる係合爪５２及び嵌合凹部５１ｂに取り付け得るように構成された背凭れ５を備えている。この実施形態では、複数タイプの背インナーシェルＦが、図１５（ａ）（ｃ）及び図１６（ａ）（ｃ）に示されたローバックタイプ（ＬＢ）の背インナーシェルＦと、図１５（ｂ）及び図１６（ｃ）に示されたハイバックタイプ（ＨＢ）の背インナーシェルＦである。
【００９４】
複数タイプの背インナーシェルＦの何れもが、すなわち、ローバックタイプ（ＬＢ）の背インナーシェルＦ、及び、ハイバックタイプ（ＨＢ）の背インナーシェルＦの何れもが、背アウターシェルＥよりも薄板状をなしており、当該背アウターシェルＥよりも着座者の荷重を受けた際の弾性変形度合いが高く設定されている。
【００９５】
複数タイプの背インナーシェルＦの何れもが、背面視において背アウターシェルＥにおける背アウターシェル本体５１の上端縁よりも上方に突出した突出部分５３ｊを有している。背インナーシェルＦの突出部分５３ｊは、張材Ｈにより被覆されている。
【００９６】
本実施形態の椅子は、複数の背インナーシェルＦの内、特定の背インナーシェルＦを背アウターシェルＥに取り付けたときにのみ、背インナーシェルＦの上に延出する部位を有した増設インナーシェル部材たるヘッドレスト８を取り付け得るように設定されている。
【００９７】
椅子は、複数の背インナーシェルＦの内、特定の背インナーシェルＦを背アウターシェルＥに取り付けたときにのみ、背凭れ５に増設インナーシェルであるヘッドレスト８を取り付け得るように設定されている。具体的には、図１５（ｃ）及び図１６（ｃ）に示すように、高さ寸法の短いタイプ（以下、「ローバックタイプ（ＬＢ）」という。）の背インナーシェルＦを背アウターシェルＥに支持させた場合に、当該ローバックタイプ（ＬＢ）の背インナーシェルＦの前側にヘッドレスト８を装着し得るようになっている。ローバックタイプ（ＬＢ）の背インナーシェルＦの上部は、ヘッドレスト８に干渉しないように構成されている。
【００９８】
ヘッドレスト８の取付部材Ｑは、ローバックタイプ（ＬＢ）の背インナーシェルＦの前に位置し得るものとなっている。ヘッドレスト８のヘッドレスト本体Ｐは、ローバックタイプ（ＬＢ）の背インナーシェルＦの上端縁よりも上に位置し得るように構成されている。ヘッドレスト本体Ｐの前後面、及び、取付部材Ｑの前面側は、背インナーシェルＦを被覆する張材Ｈによって覆われている。
【００９９】
＜＜肘掛け６＞＞
肘掛け６は、椅子本体を構成する座３に支持された肘支柱Ｊと、肘支柱Ｊに対して移動可能に設けられた肘当て６４と、肘当て６４を最前進位置（ｚ）と最後退位置（ｋ）との間で所定の軌道上をスライドさせる肘当て案内機構Ｌとを備えたものである。
【０１００】
肘掛け６は、座３に取り付けられた肘支柱Ｊに、肘当て６４を含む肘掛け本体Ｋを上下位置変更可能に保持させている。
【０１０１】
＜肘支柱Ｊ＞
肘支柱Ｊは、正面視において略Ｌ字状に形成されたものである。肘支柱Ｊは、下部に座アウターシェルＡの下面に取り付けられる被取付部６１を有するとともに上部に肘掛け本体Ｋを上下昇降可能に保持し得る筒状部６２を備えたものである。肘支柱Ｊにおける筒状部６２の内部には、肘掛け本体Ｋの昇降位置を、肘当て支持部６３に配された昇降操作ボタン６３ｂの操作により変更し得る図示しない昇降位置変更機構が設けられている。
【０１０２】
＜肘掛け本体Ｋ＞
肘掛け本体Ｋは、筒状部６２に保持された図示しない柱状部分を有した肘当て支持部６３と、肘当て支持部６３の上に支持された肘当て６４を備えている。肘当て６４は、肘当て案内機構Ｌにより肘当て支持部６３に対してスライド移動可能に構成されている。すなわち、肘当て支持部６３と肘当て６４との間には、肘当て６４を最前進位置（ｚ）と最後退位置（ｋ）との間で所定の軌道上をスライドさせる肘当て案内機構Ｌが設けられている。
【０１０３】
[肘当て支持部６３]
肘当て支持部６３は、肘支柱Ｊの筒状部６２に配された上下方向に延びた柱状部分と、柱状部分の上に配された支持ベース６３ａを備えている。支持ベース６３ａは、柱状部分よりも前後方向の寸法が大きく設定されている。支持ベース６３ａは、肘当て６４をスライド移動可能に下から支持し得る形態をなしている。
【０１０４】
支持ベース６３ａには、上面側に肘当て６４を所定の軌道に案内し得る第一のガイドスリット６３ｃが設けられている。第一のガイドスリット６３ｃは、支持ベース６３ａの前部に設けられている。第一のガイドスリット６３ｃは、平面視において内側すなわち椅子本体の左右方向中間部側に向かって凸をなすように湾曲した形状をなしている。第一のガイドスリット６３ｃの前端部は、第一のガイドスリット６３ｃの後端部よりも内側に位置するように設定されている。第一のガイドスリット６３ｃは、肘当て６４に突設された可動案内軸６４ｅと係わり合うようになっている。
【０１０５】
支持ベース６３ａには、第一のガイドスリット６３ｃよりも後側において上向きに突出した固定案内軸６３ｄが設けられている。固定案内軸６３ｄは、肘支柱Ｊに対して前後動し得ないものとなっている。固定案内軸６３ｄは、支持ベース６３ａの後端部に取り付けられている。固定案内軸６３ｄは、平面視において、第一のガイドスリット６３ｃの前端部よりも外側、且つ、第一のガイドスリット６３ｃの後端部よりも内側に位置させている。なお、固定案内軸６３ｄには、ローラー６３ｅが回転可能に外装されている。ローラー６３ｅは、肘当てベース６４ｃに設けられた第二のガイドスリット６４ｄの周縁部を囲繞する囲繞壁６４ｆと係わり合い、固定案内軸６３ｄが第二のガイドスリット６４ｄ内を滑らかに相対移動し得るようになっている。
【０１０６】
[肘当て６４]
肘当て６４は、肘当て支持部６３の上を所定の軌道でスライド移動し得るものである。肘当て６４は、最前進位置（ｚ）及び最後退位置（ｋ）において前後方向を向く前向き姿勢（ｍｓ）を採るものである。肘掛け６は、平面視における最後退位置（ｋ）の肘当て６４が、最前進位置（ｚ）の肘当て６４よりも椅子本体の左右方向中央部から離れて位置するように設定されている。図４０に示すように、最後退位置（ｋ）における肘当て６４の仮想中心線ｃｓは、最前進位置（ｚ）における肘当て６４の仮想中心線ｃｓよりも外側に位置するようになっている。
【０１０７】
肘当て６４は、上部に配された肘当てクッション６４ａと、肘当てクッション６４ａの下に取り付けられたクッション受け６４ｂと、クッション受け６４ｂの下に配された肘当てベース６４ｃとを備えている。
【０１０８】
肘当てベース６４ｃは、後部に上下方向に貫通した第二のガイドスリット６４ｄが形成されている。第二のガイドスリット６４ｄは肘当てベース６４ｃの後半部に設けられている。第二のガイドスリット６４ｄは、平面視において内側すなわち椅子本体の左右方向中間部側に向かって凸をなすように湾曲した形状をなしている。第二のガイドスリット６４ｄの前端部は、第二のガイドスリット６４ｄの後端部よりも内側に位置するように設定されている。第二のガイドスリット６４ｄは、肘当て支持部６３の支持ベース６３ａに突設された固定案内軸６３ｄと係わり合うようになっている。
【０１０９】
肘当てベース６４ｃには、第二のガイドスリット６４ｄよりも前側に下向きに突出した可動案内軸６４ｅが設けられている。可動案内軸６４ｅは、肘当てベース６４ｃと一体に前後動し得るものである。可動案内軸６４ｅは、肘当てベース６４ｃに固定されたナット６４ｇに取り付けられている。可動案内軸６４ｅは、平面視における左右方向中央部に設けられている。より具体的に言えば、可動案内軸６４ｅは、平面視において、第二のガイドスリット６４ｄの前端部よりも外側、且つ、第二のガイドスリット６４ｄの後端部よりも内側に位置させている。
【０１１０】
＜肘当て案内機構Ｌ＞
肘当て案内機構Ｌは、肘当て６４を最前進位置（ｚ）と最後退位置（ｋ）との間で中間位置（ｃ）を経て進退動作するように案内するものである。
【０１１１】
この実施形態では、図４１に示すように、肘当て６４は、肘当て案内機構Ｌの作用により、中間位置（ｃ）において前端の位置が最も内側に位置するとともに後端の位置が最も外側に位置する内向き姿勢（ｕｓ）を採るものとなっている。
【０１１２】
肘当て案内機構Ｌは、肘当て支持部６３の支持ベース６３ａに設けられた第一のガイドスリット６３ｃ及び固定案内軸６３ｄと、肘当て６４の肘当てベース６４ｃに設けられた第二のガイドスリット６４ｄ及び可動案内軸６４ｅとを主体に構成されている。
【０１１３】
肘当て案内機構Ｌによる肘当て６４の動作を詳述すれば次のとおりである。
【０１１４】
すなわち、肘当て６４は、肘当て支持部６３に対して前後方向にスライド移動し得るものである。肘当て６４は、椅子本体の左右方向中心線と略平行をなす前向き姿勢（ｍｓ）を採る最前進位置（ｚ）から、これと同様の前向き姿勢（ｍｓ）を採る最後退位置（ｋ）まで一定の軌道で前後動し得るものとなっている。
【０１１５】
この実施形態では、肘当て支持部６３に設けられた固定スリットたる第一のガイドスリット６３ｃと肘当て６４に設けられた可動案内軸６４ｅとの協働、及び、肘当て６４に設けられた可動スリットたる第二のガイドスリット６４ｄと肘当て支持部６３に設けられた固定案内軸６３ｄとの協働とによって、使用者による操作力を受けた肘当て６４は、最前進位置（ｚ）と最後退位置（ｋ）との間をスライド移動し得るものとなっている。
【０１１６】
具体的には、肘当て６４の前端部のスライド軌道は、図４１において表示された太線に示すように、内方に向けて凸をなす山型状に設定されているとともに、肘当て６４の後端部のスライド軌道は、図４１において表示された太線のように、外方に向けて凸をなす山型状に設定されている。肘当て案内機構Ｌにより設定されたスライド軌道にしたがって、肘当て６４は前後動及び回転動作（首振り動作）を行うことになる。その結果、肘当て６４は、中間位置（ｃ）に位置した段階で、前端部が椅子本体の左右方向中央部に最も近接して位置することになる。
【０１１７】
肘当て６４は、最前進位置（ｚ）及び最後退位置（ｋ）において同じ姿勢、すなわち、前後方向を向く前向き姿勢（ｍｓ）を採る。肘掛け６は、平面視における最後退位置（ｋ）の肘当て６４が、最前進位置（ｚ）の肘当て６４よりも椅子本体の左右方向中央部から離れて位置するように設定されている。つまり、肘当て支持部６３の支持ベース６３ａに形成された第一のガイドスリット６３ｃ及び肘当て６４の肘当てベース６４ｃに形成された第二のガイドスリット６４ｄは、それぞれ内方に向かって凸をなすように曲線を描く形状を有するとともに前端部のほうが後端部よりも椅子本体の左右方向中央部に近い位置に設定されているため、肘当て６４の肘当て支持部６３に対する左右方向の位置が最前進位置（ｚ）にある場合と最後退位置（ｋ）にある場合とで異なるようになっている。
【０１１８】
最後退位置（ｋ）にある肘当て６４の位置は、最前進位置（ｚ）にある肘当て６４の位置よりも外側に位置するように設定されている。このため、椅子は後傾姿勢を採る際に、最後退位置（ｋ）に肘当て６４を位置させることにより、使用者が当該肘当て６４を利用してスマートフォンやタブレット端末等をリラックスした状態で閲覧し得るものとなっている。
【０１１９】
その一方で、最前進位置（ｚ）にある肘当て６４の位置は、最後退位置（ｋ）にある肘当て６４の位置よりも内側に位置するように設定されている。つまり通常の執務姿勢において、最前進位置（ｚ）にある肘当て６４は、外方に過度に離間しないようになっている。このため、最前進位置（ｚ）にある肘当て６４は、使用者に比較的近接し、キーボード操作や筆記作業など、使用者が利用しやすい好適な箇所に位置し得るものとなっている。
【０１２０】
なお、この実施形態における肘当て案内機構Ｌは、肘当て支持部６３側に第一のガイドスリット６３ｃを配することにより、肘当てベース６４ｃ側に、一本のスリットである第二のガイドスリット６４ｄだけを設ければよい構成を実現しており、肘当てベース６４ｃの剛性を高めやすいものとなっている。
【０１２１】
つまり、従来のものは、本実施形態における肘当てベース６４ｃに相応する部材に複数のスリットを配し、本実施形態における支持ベース６３ａに相応する部材に当該複数のスリットに対応させて複数の固定案内軸を配しているものとしていた。ところが、従来のものでは、肘当てベース６４ｃに相応する部材に複数のスリットが形成されてしまうことになるため（特に複数のスリット間に位置する部分の）強度を維持する設計の自由度が低いものとなっていた。本実施形態の椅子では、肘当てベース６４ｃには一本のガイドスリットたる第二のガイドスリット６４ｄだけを設ければ足りる構成をとっているため、従来の不具合を好適に解消し得るものとなっている。
【０１２２】
＜＜ハンガー７＞＞
ハンガー７は、背板である背アウターシェルＥに設けた貫通孔５１ａを利用して取り付けられるように構成されている。ハンガー７は、オプション本体たるハンガー本体Ｍと、ハンガー本体Ｍを背アウターシェルＥに取り付けるためのオプション取付部材たるハンガー取付部材Ｎとを備えている。
【０１２３】
＜ハンガー本体Ｍ＞
ハンガー本体Ｍは、主として被服を懸吊支持し得る左右方向に延びた被服支持部７１と、背面視においてＵ字状をなし上端部が被服支持部７１に一体的に接続した基部７２とを備えている。
【０１２４】
［被服支持部７１］
被服支持部７１は、主として被服を支持し得る左右方向に延びた形態を有している。被服支持部７１は、上方に向かって凸をなすように緩やかに湾曲した形態をなしている。
【０１２５】
［基部７２］
基部７２は、上下方向に延びてなり左右に対をなして配された上下延出部分７２ａと、左右の上下延出部分７２ａの下端部間を繋ぐ連結部分７２ｆとを備えている。
【０１２６】
上下延出部分７２ａは、ハンガー取付部材Ｎに保持される被保持部７２ｂを有している。被保持部７２ｂの内面側には、ハンガー本体Ｍを上位置と下位置において保持させるために用いられる係合溝７２ｃが設けられている。係合溝７２ｃの上端部近傍と下端部近傍には、内方に隆起した隆起部７２ｄが形成されている。そして、ハンガー取付部材Ｎに設けられそれぞれ外方に弾性付勢された左右一対の押圧子７５ｃの先端部が係合溝７２ｃ内を相対移動し、隆起部７２ｄを乗り越えることにより、ハンガー本体Ｍをハンガー取付部材Ｎに対して上位置又は下位置に保持し得るようになっている。左右一対の押圧子７５ｃは、左右に対をなすハンガー本体Ｍにおける被保持部７２の内側に配されている。被保持部７２ｂの前端側と後端側には、ハンガー取付部材Ｎに対する位置決め用の位置決め溝７２ｅが設けられている。
【０１２７】
連結部分７２ｆは、柱状をなす背支持体４との干渉を避けるように後方に向かって凸をなすように湾曲した形状をなしている。連結部分７２ｆと背支持体４との間には、使用者の手指が挿入可能な隙間ｓｋが形成されている。ハンガー本体Ｍの連結部分７２ｆは、使用者が把持して椅子全体を床面に対して移動させ得る操作ハンドルとして機能し得るものとなっている。
【０１２８】
＜ハンガー取付部材Ｎ＞
ハンガー取付部材Ｎは、背アウターシェルＥの背面側に配される部材本体７３と、部材本体７３に対して左右方向に相対移動可能に支持された係合部材７４と、ハンガー本体Ｍを上位置又は下位置に保持し得る保持部材７５を備えている。また、ハンガー取付部材Ｎには、係合位置（ｇ）にある係合部材７４が挿通可能位置（ａ）に戻るのを規制する戻り止め機構７６と、係合位置（ｇ）にある係合部材７４を背アウターシェルＥに対して強固に取り付けるためのねじ止め機構７７とが設けられている。
【０１２９】
［部材本体７３］
部材本体７３は、正面視において略下向きコ字状をなす外形をなしている。部材本体７３は左右対称に形成されている。部材本体７３の前端部は、背アウターシェルＥに取り付けられた状態において、当該背アウターシェルＥの背面に添接し得るように設定されている。部材本体７３の前面側における左右両側部には、係合部材７４の基部７４ａを左右方向にスライド可能に収容し得る収容部７３ａが設けられている。部材本体７３は、前後方向に貫通したねじ挿通孔７３ｂを有している。ねじ挿通孔７３ｂは、左右の収容部７３ａにそれぞれ設けられている。ねじ挿通孔７３ｂに挿通されたねじｖ１を、係合部材７４に設けたナット７４ｇに螺着することにより、各係合部材７４が部材本体７３側に引き寄せられるように構成されている。収容部７３ａの下端部には上下方向に弾性変形可能な上向きに突出する係合突起７３ｃが設けられている。部材本体７３における上端部には前方に向かって突出する複数の位置決め凸部７３ｄが設けられている。位置決め凸部７３ｄは、背アウターシェルＥの貫通孔５１ａ内に位置するようになっている。
【０１３０】
［係合部材７４］
係合部材７４は、部材本体７３の収容部７３ａに移動可能に収容されている。すなわち、係合部材７４は、背板係合部７４ｆを背面側から貫通孔５１ａに挿通し得る挿通可能位置（ａ）と背板係合部７４ｆが背アウターシェルＥにおける貫通孔５１ａの縁部に係合し得る係合位置（ｇ）との間で部材本体７３に対して左右方向に移動可能に構成されている。
【０１３１】
係合部材７４は、対をなして設けられている。すなわち、係合部材７４は、部材本体７３の右側と左側に対をなして設けられている。対をなす係合部材７４は、それぞれ相反する方向に移動し得るものとなっている。この実施形態では、正面視において左側の係合部材７４は、内側となる右位置が挿通可能位置（ａ）であり、外側となる左位置が係合位置（ｇ）となっている。一方で、正面視において右側の係合部材７４は、内側となる左位置が挿通可能位置（ａ）であり、外側となる右位置が係合位置（ｇ）となっている。
【０１３２】
係合部材７４は、部材本体７３内すなわち部材本体７３の収容部７３ａに保持された基部７４ａと、基部７４ａから前方に突出した複数の前延出部７４ｅと、複数の前延出部７４ｅの前端部から当該前延出部７４ｅと略直交する方向に延びた複数の背板係合部７４ｆとを備えている。前延出部７４ｅと背板係合部７４ｆとによって、Ｌ字フック状の形態をなしている。換言すれば、前延出部７４ｅと背板係合部７４ｆとによって背アウターシェルＥを係わり合う係合フックが構成されている。
【０１３３】
基部７４ａは、板状をなしたものである。基部７４ａの下部における内側面には、使用者が取付作業をする際に押圧される押圧被操作部７４ｂが設けられている。係合部材７４が挿通可能位置（ａ）にあるとき、押圧被操作部７４ｂは、背面視において部材本体７３の収容部７３ａから内方に突出した状態になっている。使用者は、押圧被操作部７４ｂを手指等により外方すなわち係合部材７４が外側に移動する方向に向けて押圧し、係合部材７４を係合位置（ｇ）に移動させることができる。使用者の操作により係合部材７４が係合位置（ｇ）に位置すると、押圧被操作部７４ｂの内側面すなわち使用者の手指が当接する面は、部材本体７３の縁部と滑らかに連続するようになっている。
【０１３４】
基部７４ａには、前面側を凹陥させたナット保持孔７４ｃを有している。ナット保持孔７４ｃには、ナット７４ｇが保持されている。基部７４ａの下端部には左右に離間させて部材本体７３に設けられた係合突起７３ｃが係合し得る凹部７４ｄが設けられている。これら凹部７４ｄは、係合部材７４が係合位置（ｇ）又は挿通可能位置（ａ）にある場合に、部材本体７３に設けられた係合突起７３ｃに係合し得るものとなっている。
【０１３５】
前延出部７４ｅは、基部７４ａの外側部の前面から前方に立設された横長円柱状のものである。前延出部７４ｅは上下方向に所定の間隔を空けて複数箇所すなわち三箇所に立設されている。基部７４ａにおける前延出部７４ｅの立設箇所は、背アウターシェルＥに設けた所定位置の貫通孔５１ａに対応している。この実施形態では、基部７４ａに上下方向に並んで立設された前延出部７４ｅのそれぞれの大きさが異なっており、且つ、隣接する前延出部７４ｅ間の離間寸法も異なっている。このため、ハンガー７を背アウターシェルＥの特定の位置にしか取り付けることができないようになっている。すなわち、背アウターシェルＥに設けた複数の貫通孔５１ａは、それぞれ大きさや隣接する他の貫通孔５１ａとの離間寸法がすべて等しく設定されていない。このため、使用者は背アウターシェルＥにおけるハンガー７を装着するべき適切な位置にのみ、ハンガー７を装着することができるようになっている。つまり、ハンガー７の背アウターシェルＥに対する取り付けは、複数の背板係合部７４ｆの配置と複数の貫通孔５１ａの配置とが合致する位置にのみできるように構成されている。
【０１３６】
背板係合部７４ｆは、前延出部７４ｅの前端部から当該前延出部７４ｅと略直交する外側方に延びたものである。背板係合部７４ｆは、当該背板係合部７４ｆが挿入されることになる背アウターシェルＥの貫通孔５１ａよりも小さな大きさに設定されている。背板係合部７４ｆは、横長円柱状をなしている。背板係合部７４ｆは、背面側から背アウターシェルＥの貫通孔５１ａに挿入される。そして、背板係合部７４ｆが背アウターシェルＥに背面側から挿入された後は、背アウターシェルＥの前面側に位置し得るものとなっている。背板係合部７４ｆは、係合部材７４を背面側から操作することにより背アウターシェルＥと係合し得る係合位置（ｇ）に移動し得るものとなっている。
【０１３７】
背板係合部７４ｆは、前延出部７４ｅと一体に設けられているため上下方向に所定の間隔を空けて複数箇所すなわち三箇所に配されている。背板係合部７４ｆの配設箇所は、背アウターシェルＥに設けた所定位置の貫通孔５１ａに対応している。この実施形態では、上下方向に並んで配された背板係合部７４ｆのそれぞれの大きさが異なっており、且つ、隣接する背板係合部７４ｆの離間寸法も異なっている。このため、ハンガー７を背アウターシェルＥの特定の位置にしか取り付けることができないようになっている。
【０１３８】
［保持部材７５］
保持部材７５は、ハンガー本体Ｍを保持し得る保持凹部７５ａを有し部材本体７３の背面側に取り付けねじ７５ｂにより取り付けられるものである。保持部材７５は、部材本体７３の幅寸法と同じ幅寸法に設定されている。保持部材７５には、図示しないばねにより外側方に向けて付勢され先端部がハンガー本体Ｍの係合溝７２ｃを押圧する押圧子７５ｃが左右に対をなして設けられている。
【０１３９】
［戻り止め機構７６］
戻り止め機構７６は、係合位置（ｇ）にある係合部材７４が挿通可能位置（ａ）に戻るのを規制し得るものである。
【０１４０】
この実施形態では、戻り止め機構７６は、部材本体７３に設けられた係合突起７３ｃと、係合部材７４に設けられ当該係合部材７４が係合位置（ｇ）にある場合に係合突起７３ｃと係合し得る凹部７４ｄ（内側の凹部７４ｄ）とを備えている。
【０１４１】
［ねじ止め機構７７］
ねじ止め機構７７は、背アウターシェルＥとハンガー７とをより強固に取り付けるためのものである。ねじ止め機構７７は、ねじｖ１と、部材本体７３に設けたねじ挿通孔７３ｂと、ねじ挿通孔７３ｂを挿通させたねじｖ１が螺着される係合部材７４に設けたナット７４ｇとを備えたものである。ねじｖ１が、ねじ挿通孔７３ｂに挿通されてナット７４ｇに螺着されることにより、係合部材７４は、背アウターシェルＥと密着されて係合位置（ｇ）に強固に固定されるとともに、挿通可能位置（ａ）に戻ることが規制されることになる。
【０１４２】
ねじ止め機構７７は、係合部材７４が係合位置（ｇ）に位置する場合にのみ、ねじｖ１をねじ挿通孔７３ｂに挿通させてナット７４ｇに螺着し得るものとなっている。すなわち、係合部材７４が係合位置（ｇ）に位置する場合にのみ、ねじ挿通孔７３ｂの位置とナット７４ｇの位置が合致し得るようになっている。換言すれば、係合部材７４が挿通可能位置（ａ）から係合位置（ｇ）にまで適切に移動できていない限り、ねじｖ１をねじ挿通孔７３ｂに挿通させることができないようになっている。このため、部材本体７３に対して相対移動し得る係合部材７４を、ハンガー７を背凭れ５に確実に取り付け得る適切な位置にまで移動させることができるようになっている。
【０１４３】
＜＜ヘッドレスト８＞＞
ヘッドレスト８は、背凭れ５に取り付けられ、着座者の頭部を後側から支持し得るものである。ヘッドレスト８は、背インナーシェルＦとして、上下寸法が短いタイプ（ローバックタイプ（ＬＢ））を選択した場合に限り、当該背インナーシェルＦの前側に装着し得るように構成されている。ヘッドレスト８は、背インナーシェルＦを被覆する張材Ｈとともに被覆されるようになっている。
【０１４４】
ヘッドレスト８は、着座者の頭部が当接し得るヘッドレスト本体と、このヘッドレスト本体の下に連設された取付部材Ｑとを備えたものである。取付部材Ｑは、適宜の位置に挿通されたねじを用いて背インナーシェルＦに取り付けられるものである。
【０１４５】
＜ヘッドレスト本体Ｐ＞
ヘッドレスト本体Ｐは、着座者の頭部を後側から支持し得るものである。ヘッドレスト本体Ｐは、左右方向に延びた複数のスリットが形成されている。ヘッドレスト本体Ｐは、正面視において、背インナーシェルＦの上部における左右幅寸法と略同じ幅寸法に設定された矩形状をなしている。ヘッドレスト本体Ｐは、側面視において、上下方向中間部が前方に向かって凸をなすように湾曲した形状をなしている。換言すれば、ヘッドレスト本体Ｐは、背インナーシェルＦの前面から前方に迫り出した形状をなしている。
【０１４６】
＜取付部材Ｑ＞
取付部材Ｑは、ヘッドレスト本体Ｐの下端部から下方に延出して設けられた板状のものである。取付部材Ｑは、背インナーシェルＦの前面に添接し、止着具たるねじにより当該背インナーシェルＦに固定されるようになっている。取付部材Ｑにおける下部の中央部は、板バネ部５４を避けるように切り欠かれている。取付部材Ｑの下端部の左右には後方に突出した位置決め凸部８１が形成されている。これら位置決め凸部８１は、背インナーシェルＦに設けられた位置決め孔５３ｆ（塞ぎ板５３ｇが除去された状態のもの）に嵌合し、その結果、取付部材Ｑが背インナーシェルＦに位置決めされることになる。
【０１４７】
このように、本実施形態に示される椅子は、張材本体５７と左右の補強部材５９とを備えた張材Ｈを有している。そして、張材本体５７における左右の側端部に取り付けられた左右の補強部材５９が、背インナーシェルＦに設けた位置決め突起５３ｂに当接した状態でステープルｓｔ等の止着具により背インナーシェルＦに取り付けられている。このため、背インナーシェルＦの側端縁部分において張材本体５７の皺（シワ）が局所的に発生し難いものとなり、且つ、クッション材５７ｂの凹凸の発生も抑制し得るものとなり、好適な外観をなした背凭れ５を提供することができる。
【０１４８】
椅子は、背アウターシェルＥの前側に背インナーシェルＦを支持させた背凭れ５を備えている。そして、背インナーシェルＦに板バネ部５４が突設されている。このため、背インナーシェルＦは、着座者の荷重に対して適切に反発し得る構成を有したものとなっている。
【０１４９】
椅子は、高さ寸法が異なる複数の背インナーシェルＦを共通の背アウターシェルＥに支持させ得るものとなっている。このため、バリエーションのある背凭れ５を準備する設計の自由度に優れた椅子を提供することができるものとなっている。しかも、複数種類の背インナーシェルＦは、背アウターシェルＥよりも弾性変形度合いが高く設定されているため、着座者に対して好適な凭れ心地を提供し得るとともに背アウターシェルＥと重なる部分は背アウターシェルＥと協働して背凭れ５としての必要な剛性を確保し得るように設計することができるものとなっている。
【０１５０】
椅子は、座本体Ｂを座受たる座アウターシェルＡに対して前後スライドさせるための操作部材Ｃを有している。そして、操作部材Ｃを構成するキャップ３６を、操作部材Ｃを構成する係合部材３５に装着することによって、座本体Ｂが取付位置（ｔ）に移動できないように構成したものとなっている。つまり、キャップ３６を取り付けることにより、座本体Ｂが座アウターシェルＡに対して抜け出ないようになっている。このため、座本体Ｂが座アウターシェルＡから抜け出ないようにするための好適な構造を採り得るものとなっている。
【０１５１】
椅子は、座クッション３４の下面側に、座中央部スリット３３ｄに対応させて下向きに開放された凹部３４ａを設けている。このため、座クッション３４のクッション性を、底付き感を与えにくく且つ収縮性に優れたものとすることができ、着座者に対して好適な状態のものとすることができる。座クッション３４が圧縮されたときに、座クッション３４の凹部３４ａ内に存在する空気が、座中央部スリット３３ｄを通じてスムーズに外部に逃げる構造をとっているため、着座者の荷重に対応して座クッション３４は適切に収縮し得るものとなっている。
【０１５２】
椅子は、ハンガー７を背アウターシェルＥの背面側から当該背アウターシェルＥに対して柔軟に取り付け得るように構成されている。
【０１５３】
椅子は、平面視における最後退位置（ｋ）の肘当て６４が、最前進位置（ｚ）の肘当て６４よりも椅子本体の左右方向中央部から離れて位置するように設定されている。このため、後傾姿勢において最後退位置（ｋ）における肘当て６４を好適に使用し得るものとなるとともに肘当て６４が最前進位置（ｚ）及び最後退位置（ｋ）において好適な姿勢と採るものとなっている。
【０１５４】
以上において詳述した通り、本実施形態における椅子は、椅子本体とこの椅子本体に取り付けられた肘掛け９とを備えたものである。そして、椅子本体が、支持基部２に座３と背凭れ５とを傾動可能に支持させてなるものであり、標準姿勢と後傾姿勢とを採り得るように構成されている。肘掛け９が、椅子本体に支持された肘支柱Ｊと、肘支柱Ｊに対して移動可能に設けられた肘当て６４と、肘当て６４を最前進位置（ｚ）と最後退位置（ｋ）との間で所定の軌道上をスライドさせる肘当て案内機構Ｌを備えている。肘当て６４が、最前進位置（ｚ）及び最後退位置（ｋ）において前後方向を向く前向き姿勢（ｍｓ）を採るものであり、平面視における最後退位置（ｋ）の肘当て６４が、最前進位置（ｚ）の肘当て６４よりも椅子本体の左右方向中央部から離れて位置するように設定されている。このため、最前進位置（ｚ）における肘当て６４の姿勢と最後退位置（ｋ）における肘当て６４の姿勢が共に前向き姿勢（ｍｓ）を採るため着座者に把握されやすく、且つ、最後退位置（ｋ）における肘当て６４を好適に使用し得る椅子を提供し得るものとなる。
【０１５５】
つまり、平面視における最後退位置（ｋ）の肘当て６４が、最前進位置（ｚ）の肘当て６４よりも椅子本体の左右方向中央部から離れて位置するように設定されているため、使用者は、背凭れ５に凭れた体勢で最後退位置（ｋ）に位置させた肘当て６４を有効に使用し得るものとなる。特に、着座者が、背凭れ５に凭れ掛かりつつスマートフォン等の携帯型電子計算機を操作するような使用形態において、背凭れ５から比較的外方に離れた最後退位置（ｋ）における肘当て６４に肘を載せやすいものとなっている。
【０１５６】
しかも、肘当て６４が、最前進位置（ｚ）及び最後退位置（ｋ）において前後方向を向く前向き姿勢（ｍｓ）を採るものとなっている。このため、着座者にとって、最前進位置（ｚ）における肘当て６４の姿勢と最後退位置（ｋ）における肘当て６４の姿勢が、着座者にとって予期し易いものとなっている。このため、前後動し得る肘当て６４の使い方が直感的に分かりやすく、使い勝手に優れたものとなっている。特に、不慣れな着座者であっても、前後動し得る肘当て６４の使い方を直感的に理解しやすく、着座者における快適な椅子の使用に資するものとなる。
【０１５７】
肘当て案内機構Ｌが、肘当て６４を最前進位置（ｚ）と最後退位置（ｋ）との間で中間位置（ｃ）を経て進退動作するように案内するものとなっている。そして、肘当て６４が、中間位置（ｃ）において前端の位置が最も内側に位置する内向き姿勢（ｕｓ）を採るものとなっている。このため、使用者は、肘当て６４を前後動させて中間位置（ｃ）に位置付けることにより、内向き姿勢（ｕｓ）を好適に利用し得るものとなっている。
【０１５８】
なお、本発明は、以上に詳述した実施形態に限定されるものではない。
【０１５９】
肘当ては、必ずしも中間位置において内向き姿勢を採るものでなくてもよい。すなわち、肘当ては、常に前向き姿勢を保持した状態で、最前進位置と最後退位置との間で所定の軌道上をスライド移動し得るものであってもよい。。
【０１６０】
肘当て案内機構の具体的構成は、種々の構成を適用し得るものであり、上述した実施形態に示すものに限られるものではない。
【０１６１】
肘掛けは、椅子本体に取り付けられたものであればよい。換言すれば、肘掛けは、上述した実施形態のように座に取り付けられたものに限られるものではなく、背凭れや支持基部や背支持体に取り付けられたものとしてもよい。
【０１６２】
肘掛け本体が、肘支柱に対して上下動するものでなくてもよいのはもちろんのことである。
【０１６３】
その他、各部の具体的構成についても上記実施形態に限られるものではなく、本発明の趣旨を逸脱しない範囲で種々変形が可能である。
【符号の説明】
【０１６４】
６…肘掛け
Ｊ…肘支柱
Ｋ…肘掛け本体
６４…肘当て
（ｚ）…最前進位置
（ｋ）…最後退位置
（ｍｓ）…前向き姿勢
【図１】
2020049120.tif 000003
【図２】
2020049120.tif 000004
【図３】
2020049120.tif 000005
【図４】
2020049120.tif 000006
【図５】
2020049120.tif 000007
【図６】
2020049120.tif 000008
【図７】
2020049120.tif 000009
【図８】
2020049120.tif 000010
【図９】
2020049120.tif 000011
【図１０】
2020049120.tif 000012
【図１１】
2020049120.tif 000013
【図１２】
2020049120.tif 000014
【図１３】
2020049120.tif 000015
【図１４】
2020049120.tif 000016
【図１５】
2020049120.tif 000017
【図１６】
2020049120.tif 000018
【図１７】
2020049120.tif 000019
【図１８】
2020049120.tif 000020
【図１９】
2020049120.tif 000021
【図２０】
2020049120.tif 000022
【図２１】
2020049120.tif 000023
【図２２】
2020049120.tif 000024
【図２３】
2020049120.tif 000025
【図２４】
2020049120.tif 000026
【図２５】
2020049120.tif 000027
【図２６】
2020049120.tif 000028
【図２７】
2020049120.tif 000029
【図２８】
2020049120.tif 000030
【図２９】
2020049120.tif 000031
【図３０】
2020049120.tif 000032
【図３１】
2020049120.tif 000033
【図３２】
2020049120.tif 000034
【図３３】
2020049120.tif 000035
【図３４】
2020049120.tif 000036
【図３５】
2020049120.tif 000037
【図３６】
2020049120.tif 000038
【図３７】
2020049120.tif 000039
【図３８】
2020049120.tif 000040
【図３９】
2020049120.tif 000041
【図４０】
2020049120.tif 000042
【図４１】
2020049120.tif 000043
【図４２】
2020049120.tif 000044
【図４３】
2020049120.tif 000045